(57)【要約】【課題】  プレイリストの不正流用を防止する。【解決手段】  ラボ５０は、プレイリストを作成して公開鍵で暗号化してＤＶＤ１に記録する。ユーザが、ＤＶＤ１を用いて、パソコン１５０においてプレイリストを必要とする再生を行う際に、パソコン１５０は、自身の所有するトークンの情報と、アクセスチケット発行センタ１００により、パソコンのトークン情報に合わせて発行したアクセスチケットに含まれたトークン情報とを比較し、２つのトークン情報が一致する場合においてのみ、アクセスチケットに含まれる秘密鍵でプレイリストの復号を行って再生に供する。【選択図】          図１
2005340986.tif 000002
【特許請求の範囲】
【請求項１】
プレイリスト作成装置と、アクセス情報作成装置と、再生装置とを有してなる画像サービスシステムであって、
前記プレイリスト作成装置が、複数の画像データを再生する再生形態を規定するプレイリストを生成するプレイリスト生成部と、
該プレイリストを暗号化して暗号化プレイリストを得る暗号化処理部と、
該暗号化プレイリストを出力する出力部とを有してなり、
前記アクセス情報作成装置が、
前記プレイリストに対するアクセス権利を有する再生装置が有するべき特定情報を取得する特定情報取得手段と、
該特定情報と、前記プレイリストを復号するための秘密鍵とからなるアクセス情報を生成するアクセス情報生成部とを有してなり、
前記再生装置が、
該再生装置の特定情報を記憶した記憶部と、
前記プレイリストを用いる再生が指示された際に、前記アクセス情報に内包された特定情報と、前記記憶部に記憶された特定情報とを照合し、該２つの特定情報が一致した場合においてのみ、前記アクセス情報に内包された前記秘密鍵を用いて前記プレイリストを復号して該再生装置の一時記憶部に出力する復号処理部と、
前記一時記憶部に出力された前記プレイリストを用いて、該プレイリストにより規定された再生形態で前記複数の画像データの再生を行う再生部とを有してなるものであることを特徴とする画像サービスシステム。
【請求項２】
前記再生装置が、前記再生が終了した際に、復号された前記プレイリストを前記一時記憶部から削除するプレイリスト保護部をさらに有することを特徴とする画像サービスシステム。
【請求項３】
前記出力部が、ユーザに交付する記録媒体に前記暗号化プレイリストを記録するものであることを特徴とする請求項１または２記載の画像サービスシステム。
【請求項４】
前記プレイリスト生成部が、前記プレイリストを簡易化した簡易プレイリストをさらに作成するものであり、
前記出力部が、該簡易プレイリストを前記暗号化プレイリストと共に前記記録媒体に記録するものであることを特徴とする請求項３記載の画像サービスシステム。
【請求項５】
前記プレイリスト作成装置が、前記複数の画像データを用いて、該複数の画像データを前記プレイリストにより規定された再生形態で再生されるビデオデータを作成するビデオデータ作成部をさらに有し、
前記出力部が、該ビデオデータも前記記録媒体に記録するものであることを特徴とする請求項３または４記載の画像サービスシステム。
【発明の詳細な説明】
【技術分野】
【０００１】
本発明は、画像サービスシステム、具体的には複数の画像データを再生する再生形態を規定するプレイリストをユーザに提供する画像サービスシステムに関するものである。
【背景技術】
【０００２】
ネガフイルムやプリントに記録された画像を、スキャナ等の読取装置により読み取ることにより取得された画像データをＣＤ−Ｒ等の記録媒体に保管してパーソナルコンピュータ（以下パソコンという）等の再生装置を用いて鑑賞したり、またユーザの依頼により画像をプリント出力するフォトサービスシステムが提案されている（例えば特許文献１，２等）。さらに、画像データを保管する画像保管サーバに、インターネット等のネットワーク経由で画像データを送信して画像データを保管し、画像保管サーバから遠隔にある端末装置を用いて画像データを鑑賞したり、プリント注文等画像に関する種々の処理を行うことができる画像保管システムを備えたネットワークフォトサービスシステムも提案されている（例えば特許文献３参照）。
【０００３】
しかしながら、上記画像保管システムにおいては、ネガフイルムが現像プリント処理される工程中にネガフイルムに記録された画像の読み取りを行い、フイルムロール単位で画像データを保管することが前提となっているため、フイルムロールと画像データの保管を依頼したユーザとを対応づける作業が繁雑である。また、単にネガフイルムから画像を読み取って保管するのみであるため、家庭などに放置されている莫大な数のネガフイルムやプリントから画像の読み取りを行った場合、何ら整理されることなく大量の画像データが保管されることとなる。この場合、大量の画像データの整理は、画像保管サーバにアクセスしたユーザ自身が行う必要があるが、その作業はネガフイルムやプリントの整理と同様に非常に煩雑であり、システムの使い勝手が非常に悪いものとなっている。
【０００４】
このため、画像が記録されたプリントやフイルム等の記録体から画像データを取得し、取得した画像データを画像データを取得した記録体を表す記録体情報と関連づけ、記録体情報と関連づけた画像データをユーザ情報に基づいてユーザ単位で保管する、いわゆるフォトマイニングサービスを提供するためのシステムが提案されている（特許文献４参照）。このシステムによれば、家庭に埋もれている大量のネガフイルムやプリントが整理されていなくても、ユーザは画像の読み取りを写真店に依頼するのみで、読み取りにより得られた画像データを記録体情報に基づいて整理された状態で参照することができることとなる。
【０００５】
このようなシステムは、フイルムやプリントから読み取られた画像データに対するのみならず、例えばデジタルカメラにより撮像して得た画像データに対しても同様に適用することができる。
【０００６】
ところで、上述した特許文献４に記載されたシステムにおいて、ユーザの画像データをＤＶＤ−Ｒ等の記録媒体に記録してユーザに提供することが考えられる。この際、これらの画像データが所定の再生方式例えばスライドショー形式で再生されるようにスライドショー形式の画像データを作成し、これを画像データと共に記録することも可能である。これにより、ユーザは自身のパソコンやＤＶＤプレイヤなどの再生装置によりスライドショーを鑑賞したり、画像データを鑑賞したりすることができる。
【０００７】
一方、特許文献５には、複数の画像データをスライドショー形式で再生する際の再生順序を規定する順序テーブルを作成し、再生する際にこれらの複数の画像データを順序テーブルにより規定された再生順序で再生する方法が提案されている。この方法を前述した特許文献４記載のシステムに適用することが考えられる。すなわち、複数の画像データを所定の再生方式、例えばスライドショー形式で再生させるためには、これらの複数の画像データに基づいてスライドショー形式の新たな画像データを作成する代わりに、これらの複数の画像データを再生する再生形態を規定するいわゆるプレイリストを作成して画像データと共に記録媒体に記録するようにしてもよい。ここで、このプレイリストは、特許文献５記載の順序テーブルと同じように、画像データの再生順序のみを規定するものであってもよいが、再生順序以外の他の再生形態、例えば各画像データの夫々の再生時間、再生位置などをも規定するものであれば、より多彩な再生形態を実現することができる。ユーザは、再生装置によりこのプレイリストにより規定された再生形態で再生された画像データを鑑賞することができると共に、サービスを提供する側としては、作成の時間も、必要な記録媒体の容量も節約できるため、効率が良い。
【０００８】
また、例えばスライドショー用のプレイリストを作成する際に、記録媒体に記録された全ての画像データをスライドショーで再生する必要がなく、ユーザの要望や、価値があるとして判断された画像データ（例えば画質の高いものなど）のみをスライドショーで再生するようにプレイリストを作成するようにしてもよい。こうすることにより、例えばユーザの画像データから、人物が写った画像データのみをスライドショーで再生するようにした「人物編」や、所定の旅行期間中に撮像した画像データのみをスライドショーで再生するようにした「旅行編」などができ、より良いサービスをユーザに提供することができる。
【０００９】
さらに、ユーザの画像データの他に、音声データや、フレームなどのテンプレートデータや、キャラクタの動画データなどを有償または無償で記録媒体に記録しておき、スライドショーで画像データを再生する時に、これらの音声データを画像のＢＧＭとして再生したり、テンプレートデータ、動画データをユーザの画像データと同時に再生したりするようにするプレイリストを作成すれば、より鑑賞価値を高めることができる。
【００１０】
また、プレイリストのテンプレートを予め作成しておき、ユーザの画像データに応じてテンプレートを編集してユーザに提供する形態も考えられ、こうすることによって、プレイリスト作成効率を高めることができる。
【００１１】
このように、複数の画像データを再生する再生形態を規定したプレイリストを作成してユーザに提供することによって、多彩なサービスを効率良くユーザに提供することができる。
【特許文献１】特開平１０−１５０５３８号公報
【特許文献２】特開平１０−１５０５４１号公報
【特許文献３】特開平１１−１５４２１８号公報
【特許文献４】特開２００３−２３４９８５号公報
【特許文献５】特開２００１−１０３４１５号公報
【発明の開示】
【発明が解決しようとする課題】
【００１２】
しかしながら、上述したプレイリストをユーザに提供すると、ユーザ側においてそのプレイリストの中身を改竄して他の画像データに適用したり他の人に渡したりするなどの不正流用の虞がある。プレイリストを作成し、サービスを提供する側としては、不正流用されたプレイリストに対する課金ができず、損を蒙ってしまうこととなる。
【００１３】
本発明は、上記事情に鑑み、上述したプレイリストをユーザに提供して多彩なサービスを図ると共に、プレイリストの不正流用を防ぐことができる画像サービスシステムを提供することができる画像サービスシステムに関するものである。
【課題を解決するための手段】
【００１４】
本発明の画像サービスシステムは、プレイリスト作成装置と、アクセス情報作成装置と、再生装置とを有してなる画像サービスシステムであって、
前記プレイリスト作成装置が、複数の画像データを再生する再生形態を規定するプレイリストを生成するプレイリスト生成部と、
該プレイリストを暗号化して暗号化プレイリストを得る暗号化処理部と、
該暗号化プレイリストを出力する出力部とを有してなり、
前記アクセス情報作成装置が、
前記プレイリストに対するアクセス権利を有する再生装置が有するべき特定情報を取得する特定情報取得手段と、
該特定情報と、前記プレイリストを復号するための秘密鍵とからなるアクセス情報を生成するアクセス情報生成部とを有してなり、
前記再生装置が、
該再生装置の特定情報を記憶した記憶部と、
前記プレイリストを用いる再生が指示された際に、前記アクセス情報に内包された特定情報と、前記記憶部に記憶された特定情報とを照合し、該２つの特定情報が一致した場合においてのみ、前記アクセス情報に内包された前記秘密鍵を用いて前記プレイリストを復号して該再生装置の一時記憶部に出力する復号処理部と、
前記一時記憶部に出力された前記プレイリストを用いて、該プレイリストにより規定された再生形態で前記複数の画像データの再生を行う再生部とを有してなるものであることを特徴とするものである。
【００１５】
前記再生装置は、前記再生が終了した際に、復号された前記プレイリストを前記一時記憶部から削除するプレイリスト保護部をさらに有することが好ましい。
【００１６】
前記プレイリスト作成装置の前記出力部は、前記暗号化プレイリストをユーザに交付する方式に応じた交付方式で出力を行うものであり、例えば、プレイリストがＤＶＤなどの記録媒体に記録された方式でユーザに交付される方式が採用される場合、前記出力部が、前記記録媒体に前記暗号化プレイリストを記録するものとなる。
【００１７】
前記プレイリスト作成装置の前記プレイリスト生成部は、前記プレイリストを簡易化した簡易プレイリストをさらに作成するものであり、前記出力部は、該簡易プレイリストを前記暗号化プレイリストと共に前記記録媒体に記録するものであることが好ましい。
【００１８】
さらに、前記プレイリスト作成装置は、前記複数の画像データを用いて、該複数の画像データを前記プレイリストにより規定された再生形態で再生されるビデオデータを作成するビデオデータ作成部をさらに有し、前記出力部は、該ビデオデータも前記記録媒体に記録するものであることが好ましい。
【発明の効果】
【００１９】
本発明の画像サービスシステムによれば、プレイリストを暗号化して得た暗号化プレイリストと、このプレイリストに対応するアクセス情報がユーザに交付される。ユーザは、再生装置においてこのプレイリストを用いた再生を行う際に、再生装置の復号処理部が、アクセス情報に含まれた、このプレイリストに対するアクセス権利を有する再生装置が有するべき特定情報と、この再生装置の特定情報とを照合し、２つの特定情報が一致した場合においてのみ、アクセス情報に含まれた、暗号化プレイリストを復号するための秘密鍵を用いて暗号化プレイリストを復号して再生装置の例えばメモリなどの一時記憶部に出力する。そして、再生装置の再生部は、一時記憶部に出力されたプレイリストを用いて再生を行う。こうすることにより、復号されたプレイリストが、一時記憶部にのみ存在し、改竄されたり、コピーされたりなどの不正流用を防ぐことができる。また、暗号化プレイリストは、アクセス情報に含まれた特定情報を有する再生装置においてのみ復号可能なので、暗号化プレイリストを他の再生装置例えばパソコンなどに読み込んだとしても使うことができない。
【００２０】
また、一時記憶部に出力されたプレイリストは、再生装置の電源が切られたり、他の処理により一時記憶部が使用されたりすると自動的に消えるが、再生装置に、プレイリストを用いた再生が終了した際に、一時記憶部にあるプレイリストを削除するプレイリスト保護部を備えれば、より安全性を高めることができる。
【００２１】
また、ＤＶＤなどの記録媒体に暗号化プレイリストと共に、簡易化プレイリストも記録してユーザに提供するようにすると、例えば簡易化プレイリストを無料とし、ユーザが簡易化プレイリストを用いて再生装置に再生を行わせ、ある程度イメージを掴んだ後に、有料のプレイリストを購入するか否か、すなわち、暗号化プレイリストのアクセス情報を買うか否かを決めるようにすることができる。
【００２２】
さらに、再生する対象となる画像データを用いて、プレイリストにより規定された再生形態で再生されるビデオデータを作成して暗号化プレイリストと共にユーザに提供ようにすれば、ユーザがアクセス権利を有する再生装置でしかこれらの画像データを再生することができないが、ある程度画質が低下するものの、ＤＶＤプレイヤなどでビデオデータを用いて鑑賞することができ、便利である。
【発明を実施するための最良の形態】
【００２３】
以下、図面を参照して、本発明の実施形態について説明する。
【００２４】
図１は、本発明の実施形態となる画像サービスシステムの構成を示すブロック図である。図示のように、本実施形態の画像サービスシステムは、ユーザからの注文に応じてユーザの画像データを記録媒体例えばＤＶＤ１に記録してＤＶＤ１をユーザに交付する複数のラボ５０と、アクセスチケット発行センタ１００と、ユーザが、交付されたＤＶＤ１に記録された画像データを鑑賞するための再生装置例えば図示パソコン１５０や、ＤＶＤプレイヤ１８０とからなるものである。パソコン１５０とアクセスチケット発行センタ１００は、インターネット２００を介した通信が可能なものである。
【００２５】
図２は、ラボ５０の構成を示すものである。図示のように、ラボ５０は、データベース１０と、プレイリスト作成部２０と、ビデオデータ作成部２５と、暗号化処理部３０と、簡易プレイリスト作成部３５と、出力部４５とを備えてなるものであり、ここで、これらの各構成の詳細について説明する。
【００２６】
プレイリスト作成部２０は、ユーザの画像データＳ（Ｓ１，Ｓ２，・・・）を所定の再生方式（ここでは例としてスライドショー方式）で再生するためのプレイリストＰＬを作成するものである。本実施形態におけるプレイリスト作成部２０により作成されたプレイリストＰＬは、ユーザの画像データをスライドショーで再生する際の再生順序、各画像データの夫々の再生時間、再生位置などと共に、ユーザの画像データと同時にまたはユーザの画像データの間に再生される画像データや、スライドショー再生時のＢＧＭの音声データや、特殊の効果を与えるための動画データなどの指定およびその再生形態も規定するものである。なお、ユーザの画像データ以外のデータは、有料コンテンツＹ（Ｙ１，Ｙ２，・・・）と無料コンテンツＭ（Ｍ１，Ｍ２，・・・）があり、データベース１０に記憶されている。なお、ユーザの画像データのうちの、プレイリストＰＬにおいて指定されていない画像データは、スライドショー再生されないこととなる。
【００２７】
データベース１０には、有料コンテンツＹと無料コンテンツＭ以外に、プレイリスト作成部２０に供する複数のテンプレートＴも記憶されている。これらのテンプレートＴは、プレイリストの雛形であり、例えば「旅行用」、「人物用」、「赤ちゃん誕生記念用」など様々な種類が用意されている。プレイリスト作成部２０は、該当するテンプレートＴをデータベース１０から読出し、それを編集することによってユーザの画像データＳに合致したプレイリストＰＬを得る。
【００２８】
プレイリスト作成部２０は、作成したプレイリストＰＬをビデオデータ作成部２５、暗号化処理部３０、簡易プレイリスト作成部３５に出力する。ここで、ビデオデータ作成部２５、暗号化処理部３０、簡易プレイリスト作成部３５の夫々について説明する。
【００２９】
ビデオデータ作成部２５は、プレイリストＰＬにより指定されたデータ（ユーザの画像データＳ、有料コンテンツＹ、無料コンテンツＭ）を用いて、これらのデータがプレイリストＰＬにより規定された再生形態で再生されるビデオデータＶ．ｖｃｄを作成する。
【００３０】
暗号化処理部３０は、プレイリストＰＬ自身、およびプレイリストＰＬにより指定された有料コンテンツＹを暗号化してカプセルを得るものである。暗号化方式は大きく分けて暗号鍵と復号鍵とが同じ秘密鍵である共通鍵方式と、暗号鍵と復号鍵のうちの片方が公開鍵で片方が秘密鍵である公開鍵方式との２種類になるが、本実施形態における暗号化処理部３０は、公開鍵方式で暗号化処理を行うものであり、公開鍵を用いてプレイリストＰＬと有料コンテンツＹとを暗号化する。
【００３１】
簡易プレイリスト作成部３５は、プレイリストＰＬを編集し、プレイリストＰＬより簡単化された、ユーザの画像データＳと無料コンテンツＭのみを使用する簡易プレイリストＰＬａを作成する。
【００３２】
ビデオデータ作成部２５により作成されたビデオデータＶ．ｖｃｄ、暗号化処理部３０により得られたカプセル、簡易プレイリスト作成部３５により得られた簡易プレイリストＰＬａは、出力部４５に出力される。
【００３３】
出力部４５は、ユーザ画像データＳと、ビデオデータＶ．ｖｃｄと、カプセルと、簡易プレイリストＰＬａと、プレイリストＰＬおよび簡易プレイリストＰＬａにより無料コンテンツＭが指定された場合にはその無料コンテンツＭとをＤＶＤ１に記録する。
【００３４】
図３は、ＤＶＤ１に記録されたデータの態様を示すものである。図示のように、ＤＶＤ１には、カプセルと、簡易プレイリストＰＬａと、ビデオデータＶ．ｖｃｄと、ユーザ画像データＳ、無料コンテンツＭとが記録されている。図中点線枠により示されたカプセルは、プレイリストＰＬと、有料コンテンツＹとを暗号化して得たものである。
【００３５】
ラボ５０において作成されたＤＶＤ１は、郵送や、店頭引渡しなどの方式でユーザに交付される。なお、図示していないが、ラボ５０は、ＤＶＤ１の作成料（有料コンテンツＹの利用料を含む）をユーザに課金する処理も行うものであるが、本実施形態においては、ＤＶＤ１をユーザに交付した段階では、プレイリストＰＬの使用料については課金しないようにする。
【００３６】
図４は、アクセスチケット発行センタ１００の構成を示すものである。図示のように、アクセスチケット発行センタ１００は、インターネット２００を介してパソコン１５０と送受信を行うための通信部６０と、アクセスチケット生成部８０とを有してなる。
【００３７】
図４に示すアクセスチケット発行センタ１００の通信部６０は、ユーザのパソコン１５０から送信されてきたそのパソコン１５０のトークンの特徴情報Ｔｏｋ（以下トークン情報とし、その詳細については後述する）を受信すると共に、該受信に応じてアクセスチケット生成部８０が作成したアクセスチケットＡｔをパソコン１５０に送信する処理とを行うものである。
【００３８】
アクセスチケット生成部８０は、通信部６０が受信したパソコン１５０のトークン情報Ｔｏｋを参照し、該トークン情報Ｔｏｋに対応したアクセスチケットＡｔを生成する。アクセスチケットは、パソコンにインストールされた専用アプリケーションとの組合せによって、該アクセスチケットに内包される秘密鍵を使った復号処理を、該アクセスチケットに内包されたトークン情報に合致するトークンを有する装置（例えばパソコン）においてのみ、使用者に秘密鍵が知られることなく実行可能とするものである。この技術については富士ゼロックス株式会社によりＤＤＳＡ（Ｄｉｇｉｔａｌ  Ｄｏｃｕｍｅｎｔ  Ｓｅｃｕｒｉｔｙ  Ａｒｃｈｉｔｅｃｔｕｒｅ）として実用化されている。本実施形態におけるアクセスチケット生成部８０は、ＤＶＤ１に記録されたカプセル（プレイリストと有料コンテンツとが暗号化されてなるもの）を復号するための秘密鍵と、パソコン１５０のトークン情報Ｔｏｋとを内包してなるアクセスチケットＡｔを作成して、通信部６０を介してパソコン１５０に送信することによって交付する。
【００３９】
なお、図示していないが、アクセスチケット発行センタ１００は、アクセスチケットＡｔを交付する（作成および送信する）度に、交付先のユーザに課金する処理も行うものであり、この課金処理は、プレイリストＰＬを、そのアクセスチケットＡｔに含まれるトークン情報と合致するトークンを有するパソコンにおいて使用する使用料を課金する処理であり、その方式としてはいかなる課金方式を用いてもよく、ここではその詳細な説明を省略する。
【００４０】
図５は、パソコン１５０の構成を示すブロック図である。なお、本発明の主旨を分かり易くするために、パソコン１５０が動作する上に当然必要なＣＰＵや、ＤＶＤ１にあるデータをパソコン１５０に取り込むためのＤＶＤドライブなどの構成の詳細な説明についてはここで省略する。
【００４１】
図５に示すように、パソコン１５０は、ユーザが各々の指示を入力するための例えばキーボードやマウスなどの入力部１１０と、制御部１１５と、メモリ１２０と、再生部１２５と、ハードディスク１３０と、復号処理部１３５と、通信部１４０とを有するものである。ハードディスク１３０は、パソコン１５０にインストールされた形のトークンを記憶している。また、アクセスチケット発行センタ１００からアクセスチケットＡｔが発行されたことがある場合には、そのアクセスチケットＡｔも記憶している。
【００４２】
制御部１１５は、ユーザが入力部１１０を介してＤＶＤ１にあるデータの再生を指示した際に、この再生指示が、プレイリストＰＬを必要とする再生か否かを確認し、プレイリストを必要としない再生指示、例えば、ユーザ画像データＳを個別に再生する指示や、簡易プレイリストを使って再生する指示や、無料コンテンツＭを個別に再生する指示や、ビデオデータＶ．ｖｃｄを再生する指示などである場合、再生部１２５にその再生を行わせる。一方、ユーザによる再生指示が、プレイリストＰＬを必要とする再生指示である場合には、プレイリストＰＬはカプセルの形で暗号化されているため、制御部１１５は復号処理部１３５にカプセルの復号を行わせる。
【００４３】
復号処理部１３５は、カプセルを復号するための専用アプリケーションがインストールされてなるものであり、この専用アプリケーションは、例えばラボ５０においてＤＶＤ１に他のデータと共に記録して配布してもよいし、雑誌の付録を使って配布したり、インターネットを経由して配布したりしてもよい。
【００４４】
復号処理部１３５は、制御部１１５から復号するよう指示された際に、まず、ハードディスク１３０にアクセスチケットＡｔがあるか否かを確認し、アクセスチケットＡｔがある場合には、このアクセスチケットＡｔを用いてＤＶＤ１にあるカプセルを復号する。具体的には、復号処理部１３５は、まず、パソコン１５０のトークンに対して、チャレンジを入力してレスポンスを受け取り、チャレンジとレスポンス間の関係を、アクセスチケットＡｔに内包されたトークン情報Ｔｏｋと比較する。トークン情報は、トークンに入力されたチャレンジとレスポンスとの数学的な関係を示すものであり、各パソコンに実装されるトークンは夫々異なるトークン情報を有するものである。復号処理部１３５は、入力したチャレンジとレストポンス間の関係が、アクセスチケットＡｔに内包されるトークン情報により示される関係と一致するか否かを確認し、一致すれば、同じくアクセスチケットＡｔに内包された秘密鍵を用いてＤＶＤ１に記録されたカプセルをメモリ１２０において復号する。制御部１１５は、復号処理部１３５による復号処理が終えれば、再生部１２５に、メモリ１２０にあるプレイリストＰＬを用いた再生を行わせる。
【００４５】
一方、復号処理部１３５は、入力したチャレンジとレストポンス間の関係が、アクセスチケットＡｔに内包されるトークン情報により示される関係と一致しない場合においては、復号不可能であることを示す情報を制御部１１５に返送し、復号処理を終了する。
【００４６】
片方、制御部１１５から復号するよう指示された際に、ハードディスク１３０にアクセスチケットＡｔがない場合には、復号処理部１３５は、パソコン１５０に実装されたトークンの特徴情報Ｔｏｋを通信部１４０に送信し、アクセスチケットＡｔの発行を要求すると共に、このアクセスチケットの発行要求に応じて、アクセスチケット発行センタ１００から発行されたアクセスチケットＡｔを用いてカプセルを復号する。アクセスチケットＡｔを用いて復号する処理は、前述した、ハードディスクＨＤにあるアクセスチケットＡｔを用いて復号する処理と同じであるため、ここで詳細な説明を省略する。なお、復号処理部１３５は、アクセスチケットセンタから発行されたアクセスチケットＡｔを、カプセルの復号に用いると共に、ハードディスク１３０に記憶させる。
【００４７】
再生部１２５は、制御部１１５の制御に従って、プレイリストＰＬを必要としない再生の場合には、必要なデータをＤＶＤ１から読み出して再生を行うが、プレイリストＰＬを必要とする再生指示の場合には、メモリ１２０にあるプレイリストＰＬを参照し、プレイリストＰＬにより規定された再生形態に従って、プレイリストにより指示されたデータ（ＤＶＤ１にあるユーザ画像データＳや、無料コンテンツＭや、メモリ１２０にある有料コンテンツＹ）を再生する。
【００４８】
また、プレイリストＰＬを用いた再生が終了すれば、復号処理部１３５は、メモリ１２０上にある、復号されたプレイリストＰＬと有料コンテンツＹを削除する。この削除処理は、再生が正常に終了した場合のみならず、再生が中断されたなどの強制終了や、コンピュータの不具合による故障終了などの場合においても行われる。
【００４９】
プレイリストＰＬ、有料コンテンツＹを使った再生が、特定の再生装置ここではパソコン１５０においてのみ可能であるが、ＤＶＤ１にあるビデオデータＶ．ｖｃｄや、簡易プレイリストＰＬａを使った再生などは、他の再生装置でも再生することができる。
【００５０】
以上、本発明の望ましい実施形態について説明したが、本発明の画像サービスシステムは、上述した実施形態に限られることがなく、本発明の主旨を逸脱しない限り、様々な増減、変化を加えることができる
例えば、本実施形態において、ユーザがプレイリストを使って再生しようとするときにおいて、アクセスチケットの発行を行うようにしているが、例えば、予めユーザのパソコンのトークン情報を取得し、そのトークン情報に対応したアクセスチケットを作成して、図３に示す各々のデータの他に、アクセスチケットも記録媒体に記録してユーザに交付するようにしてもよい。この場合、ユーザに記録媒体を交付するタイミングで、プレイリストや、有料コンテンツの使用料の課金を行えばよい。
【００５１】
また、ユーザに交付するプレイリスト毎に、ユニークなＩＤ（例えばプレイリストＰＬを作成したラボ５０の識別番号、プレイリストＰＬの元となるテンプレートＴの識別番号、およびラボ５０における製作番号との組合せからなるＩＤ）を付与し、このＩＤを電子透かし技術で該当するプレイリストに埋め込むようにしてもよい。こうすることによって、万が一、プレイリストが不正流用された場合において、このプレイリストが、どのラボで作成されたか、どのテンプレートを元とするものであるかなどの情報を取得することができ、不正流用の原因調査などに役立つことができる。
【００５２】
また、ユーザにプレイリストを交付する形態としては、記録媒体に記録して交付することに限られることがなく、例えばネットワークを介してユーザのパソコンに送信するようにしてもよい。
【００５３】
また、本実施形態において、プレイリストと有料コンテンツを公開鍵で暗号化しているが、公開鍵方式は、共通鍵方式と比べ、計算する時間がかかるため、例えば、プレイリストと有料コンテンツを共通鍵方式で暗号化すると共に、共通鍵を公開鍵でさらに暗号化し、アクセスチケットにはこの公開鍵に対応する秘密鍵を内包させ、復号処理する際に、アクセスチケットに含まれる秘密鍵で共通鍵を復号し、復号された共通鍵でプレイリスト等を復号するようにして、処理時間を短縮することを図るようにしてもよい。
【図面の簡単な説明】
【００５４】
【図１】本発明の実施形態となる画像サービスシステムの構成を示すブロック図
【図２】図１に示す画像サービスシステムにおけるラボ５０の構成を示すブロック図
【図３】ユーザに提供される記録媒体に記録されたデータの内容を示す図
【図４】図１に示す画像サービスシステムにおけるアクセスチケット発行センタ１００の構成を示すブロック図
【図５】図１に示す画像サービスシステムにおけるパソコン１５０の構成を示すブロック図
【符号の説明】
【００５５】
１    ＤＶＤ
１０    データベース
２０    プレイリスト作成部
２５    ビデオデータ作成部
３０    暗号化処理部
３５    簡易プレイリスト作成部
４５    出力部
５０    ラボ
６０    通信部
８０    アクセスチケット生成部
１００    アクセスチケット発行センタ
１１０    入力部
１１５    制御部
１２０    メモリ
１２５    再生部
１３０    ハードディスク
１３５    復号処理部
１４０    通信部
１５０    パソコン
１８０    ＤＶＤプレイヤ
【図１】
2005340986.tif 000003
【図２】
2005340986.tif 000004
【図３】
2005340986.tif 000005
【図４】
2005340986.tif 000006
【図５】
2005340986.tif 000007